(57)【特許請求の範囲】
【請求項１】
形鋼を使用した造営材の水平突起部に係止せしめる既存の吊り金具に装着して吊り金具の支持強度を強化する吊り金具用補強金具において、
吊り金具は、水平突起部の下面を支持する支持部と、該支持部上の水平突起部を上から締め付け固定する締付ボルトを装着した圧着部と、これら支持部と圧着部とを一体に連結する連結部とで側面略コ字状を成し、支持部上の水平突起部に当接せしめる左右一対の羽根を支持部に備えた吊り金具であり、
該吊り金具の連結部の外側面を屈曲部で囲むように装着する角Ｕ字ボルト状の連結杆体と、該連結杆体に貫通された状態で水平突起部の端部に当接し、連結杆体を羽根の下面に配置せしめる支持体と、連結杆体の先端を造営材に係止せしめる固定板体とを備え、
羽根の下面に配置された連結杆体で該羽根を支持するように構成したことを特徴とする吊り金具用補強金具。
【請求項２】
前記固定板体に、前記連結杆体の開放端部を挿通する挿通孔を開穿すると共に、該挿通孔に挿通した連結杆体の先端に固定ナットをネジ止めして連結杆体と固定板体とを連結するように構成した請求項１記載の吊り金具用補強金具。
【請求項３】
前記支持体は、前記吊り金具の前記連結部を囲むように装着される平面コ字形状の重合部と、該重合部の左右側面から屈曲延長され、前記水平突起部の端部に当接せしめる左右一対の支持片とで構成され、該支持片に前記連結杆体を貫通せしめる貫通孔を形成した請求項１記載の吊り金具用補強金具。
【請求項４】
前記支持体は、前記羽根上の前記水平突起部に上から重ねる重合片と該重合片の一端部から下方に屈曲延長され、前記水平突起部の端部に当接せしめると共に前記連結杆体を貫通せしめる貫通孔が形成された左右一対の支持片と、重合片の他端部から上方に屈曲延長され、前記圧着部の左右側面に嵌合せしめる左右一対の嵌合片とで構成された請求項１記載の吊り金具用補強金具。
【発明の詳細な説明】
【技術分野】
【０００１】
本発明は、地震時の繰り返し揺れを受けても吊り金具の変形を防止することができる吊り金具用補強金具に関するものである。
【背景技術】
【０００２】
当出願人は、特許文献１に記載の如く、形鋼に装着した吊り金具が、地震等の振動でも外れないように装着する吊り金具用耐震補助具を先に提案している。この補助具は吊りボルト支持用の吊り金具に装着するもので、この補助具を装着する吊り金具は形鋼フランジの水平突起部に係止する略コ字状の開口部と、この開口部内の水平突起部を下から締め付け固定する締付ボルトとを有するタイプの吊り金具に装着するものである。
【０００３】
特許文献１の補助具の構成は、吊り金具の側面に係止する平面略Ｕ字形状を成し吊り金具の開口方向に延長された係止杆体と、形鋼に連結する固定板体とを備えたものである。この補助具を吊り金具に装着することにより、地震等で、吊り金具の締付ボルトが緩んだとしても、補助金具が吊り金具を支持しているので、吊り金具の脱落を防止することができる。
【０００４】
また、特許文献２に、羽根を備えたタイプの吊り金具を補強する補助具が記載されている。この羽根は、吊り金具の左右側面に一対備えられており、形鋼のフランジに当接させることで、吊り金具に対する左右への支持強度を高める効果がある。特許文献２の補助具では、このような羽根を備えた吊り金具を補強する手段として、前記特許文献１にて使用している平面略Ｕ字形状の係止杆体に替えて長ボルトを使用したものである。
【先行技術文献】
【特許文献】
【０００５】
【特許文献１】特許第２７４７６６７号公報
【特許文献２】特開２０１１-１６３０７８号公報
【発明の概要】
【発明が解決しようとする課題】
【０００６】
特許文献１や特許文献２に記載の補助金具によると、いずれも、係止杆体や長ボルトの長手方向に沿った強化が可能になり、吊り金具の開口部から形鋼のフランジが外れる方向への吊り金具の移動を防止することはできる。ところが、先の東日本大震災により、これら当初の予想に反する方向に思わぬ脆弱性があることが判明した。
【０００７】
すなわち、吊り金具の中でも、特許文献２に記載されている羽根を備えたタイプでは、形鋼のフランジに当接する羽根を左右側面に備えているので、この左右方向への支持強度は特に補強しなくても十分な耐久性があると思われていた。ところが、この羽根を備えたタイプの吊り金具に従来の補助金具を装着したものを震災後に確認すると、この羽根に変形が生じ、フランジと羽根との間に隙間が開いているものが確認されている。これは、羽根を備えたタイプの吊り金具に対し、左右の羽根方向に予想を超えた振動や荷重を受けたことにより、羽根に変形が生じたものである。このように羽根に変形が生じ、フランジとの当接面に隙間が生じている吊り金具は、既にフランジに対する締め付け保持力が完全に失われており、更に余震等が加わると簡単に外れてしまう危険性がある。
【０００８】
そこで、本発明は上述の課題を解消すべく創出されたもので、羽根を有するタイプの吊り金具に装着することで、吊り金具の左右方向に加わる荷重や振動に対する耐久性を強化することができる吊り金具用補強金具の提供を目的とするものである。
【課題を解決するための手段】
【０００９】
上述の目的を達成すべく本発明における第１の手段は、形鋼を使用した造営材Ｐの水平突起部Ｐ１に係止せしめる既存の吊り金具１０に装着して吊り金具１０の支持強度を強化する吊り金具用補強金具において、
吊り金具１０は、水平突起部Ｐ１の下面を支持する支持部１１と、該支持部１１上の水平突起部Ｐ１を上から締め付け固定する締付ボルト１５を装着した圧着部１２と、これら支持部１１と圧着部１２とを一体に連結する連結部１３とで側面略コ字状を成し、支持部１１上の水平突起部Ｐ１に当接せしめる左右一対の羽根１４を支持部１１に備えた吊り金具１０であり、
該吊り金具１０の連結部１３の外側面を屈曲部で囲むように装着する角Ｕ字ボルト状の連結杆体１と、該連結杆体１に貫通された状態で水平突起部Ｐ１の端部に当接し、連結杆体１を羽根１４の下面に配置せしめる支持体２と、連結杆体１の先端を造営材Ｐに係止せしめる固定板体３とを備え、
羽根１４の下面に配置された連結杆体１で該羽根１４を支持するように構成したことにある。
【００１０】
第２の手段は、前記固定板体３に、前記連結杆体１の開放端部を挿通する挿通孔３Ａを開穿すると共に、該挿通孔３Ａに挿通した連結杆体１の先端に固定ナット１Ａをネジ止めして連結杆体１と固定板体３とを連結するように構成したものである。
【００１１】
第３の手段において、前記支持体２は、前記吊り金具１０の前記連結部１３を囲むように装着される平面コ字形状の重合部２Ａと、該重合部２Ａの左右側面から屈曲延長され、前記水平突起部Ｐ１の端部に当接せしめる左右一対の支持片２Ｂとで構成され該支持片２Ｂに前記連結杆体１を貫通せしめる貫通孔２Ｃを形成したものである。
【００１２】
第４の手段において、前記支持体２は、前記羽根１４上の前記水平突起部Ｐ１に上から重ねる重合片２Ｄと該重合片２Ｄの一端部から下方に屈曲延長され、前記水平突起部Ｐ１の端部に当接せしめると共に前記連結杆体１を貫通せしめる貫通孔２Ｃが形成された左右一対の支持片２Ｂと、重合片２Ｄの他端部から上方に屈曲延長され、前記圧着部１２の左右側面に嵌合せしめる左右一対の嵌合片２Ｅとで構成されている。
【発明の効果】
【００１３】
本発明の請求項１のごとく、吊り金具１０の連結部１３の外側面を屈曲部で囲むように装着する角Ｕ字ボルト状の連結杆体１と、該連結杆体１に貫通された状態で水平突起部Ｐ１の端部に当接し、連結杆体１を羽根１４の下面に配置せしめる支持体２と、連結杆体１の先端を造営材Ｐに係止せしめる固定板体３とを備え、羽根１４の下面に配置された連結杆体１で該羽根１４を支持するように構成したことにより、既存の吊り金具１０の左右方向に加わる荷重や振動に対する耐久性を強化することが可能になり、羽根１４の変形を防止することができる。
【００１４】
請求項２のように、固定板体３に、連結杆体１の開放端部を挿通する挿通孔３Ａを開穿すると共に、該挿通孔３Ａに挿通した連結杆体１の先端に固定ナット１Ａをネジ止めして連結杆体１と固定板体３とを連結するように構成したことで、本発明補強金具を造営材Ｐに固定する作業が容易になるものである。
【００１５】
請求項３のように、支持体２は、吊り金具１０の連結部１３を囲むように装着される平面コ字形状の重合部２Ａと、該重合部２Ａの左右側面から屈曲延長され、水平突起部Ｐ１の端部に当接せしめる左右一対の支持片２Ｂとで構成され、該支持片２Ｂに連結杆体１を貫通せしめる貫通孔２Ｃを形成したことから、連結杆体１の装着位置は、支持片２Ｂによって羽根１４の下に配置されるので、常に連結杆体１の位置を羽根１４の下面に固定することができる。しかも、重合部２Ａによって連結部１３の強度も補強することができるので、連結杆体１による羽根１４の補強と重合部２Ａによる連結部１３の補強とが相俟って、極めて強力な補強が可能になる。この結果、地震時の繰り返し揺れを受けても羽根１４の変形を防止することができる。
【００１６】
請求項４の如く、支持体２は、羽根１４上の前記水平突起部Ｐ１に上から重ねる重合片２Ｄと該重合片２Ｄの一端部から下方に屈曲延長され、水平突起部Ｐ１の端部に当接せしめると共に連結杆体１を貫通せしめる貫通孔２Ｃが形成された左右一対の支持片２Ｂと、重合片２Ｄの他端部から上方に屈曲延長され、圧着部１２の左右側面に嵌合せしめる左右一対の嵌合片２Ｅとで構成されているので、嵌合片２Ｅによって圧着部１２の強度を補強することが可能になる。したがって、連結杆体１による羽根１４の補強と嵌合片２Ｅによる圧着部１２の補強とが相俟って、極めて強力な補強が可能になり、地震時の繰り返し揺れを受けても羽根１４の変形を防止することができる。
【図面の簡単な説明】
【００１７】
【図１】本発明の一実施例を示す使用状態の斜視図である。
【図２】本発明の一実施例を示す使用状態の側面図である。
【図３】本発明の一実施例を示す正面図である。
【図４】本発明の固定板体の実施例を示す正面図である。
【図５】本発明の他の実施例を示す使用状態の側面図である。
【図６】本発明の他の実施例を示す使用状態の背面図である。
【図７】本発明の他の実施例の支持体を示す背面図である。
【発明を実施するための形態】
【００１８】
本発明によると、羽根を有するタイプの吊り金具に装着することで、吊り金具の左右方向に加わる荷重や振動に対する耐久性を強化することができるといった当初の目的を達成した。
【実施例】
【００１９】
以下、本発明の実施例を説明する。本発明補強金具は、形鋼を使用した造営材Ｐの水平突起部Ｐ１に係止せしめる既存の吊り金具１０に装着して、該吊り金具１０の支持強度を強化するものである。
【００２０】
本発明補強金具を装着する吊り金具１０は、特に羽根１４を備えた吊り金具１０とする（図１参照）。すなわち、この吊り金具１０は、支持部１１、圧着部１２、連結部１３にて側面略コ字状を成している（図２参照）。すなわち、支持部１１にて水平突起部Ｐ１の下面を支持し、支持部１１上の水平突起部Ｐ１を上から締め付け固定する締付ボルト１５を圧着部１２に装着し、これら支持部１１と圧着部１２とを一体に連結する連結部１３とで側面略コ字状を成すものである。そして、羽根１４は、この支持部１１の左右に一対形成され、水平突起部Ｐ１の下面に当接する。
【００２１】
本発明補強金具の基本構成は、連結杆体１と支持体２と固定板体３とで構成されている（図１参照）。連結杆体１は、吊り金具１０の連結部１３の外側を屈曲部で囲むように装着する角Ｕ字ボルト状の部材である。図示例では、連結杆体１の開放端部のみにネジ山を形成している（図２参照）。
【００２２】
支持体２は、連結杆体１に貫通された状態で水平突起部Ｐ１の端部に当接し、連結杆体１を羽根１４の下面に配置せしめる部材である。図１乃至図３に示す支持体２は、重合部２Ａと支持片２Ｂとで構成されている。重合部２Ａは、吊り金具１０の連結部１３を囲むように装着される板体が屈曲されて平面コ字形状を成している（図１参照）。この重合部２Ａを連結部１３の外側面に装着することで、連結部１３の強度を高めるものである。
【００２３】
この支持体２に支持片２Ｂが設けられている。この支持片２Ｂは、重合部２Ａの先端部から外側に向けて屈曲延長された左右一対の部材で、水平突起部Ｐ１の端部に当接するように構成されたものである（図２参照）。更に、支持片２Ｂには、連結杆体１を貫通せしめる貫通孔２Ｃが開穿されている（図３参照）。そして、支持片２Ｂを水平突起部Ｐ１の端部に当る位置に設置すると、この支持片２Ｂを貫通している連結杆体１が羽根１４の下面で固定されるように設けたものである。
【００２４】
連結杆体１の開放端部には、固定板体３がネジ止め連結される（図２参照）。この固定板体３は、連結杆体１の先端を造営材Ｐに係止せしめる部材である。この固定板体３に、連結杆体１の開放端部を挿通する挿通孔３Ａを開穿している。更に、この挿通孔３Ａに挿通した連結杆体１の先端に固定ナット１Ａをネジ止めして連結杆体１と固定板体３とを連結するように構成したものである。そして、連結杆体１で重合部２Ａを緊締すると、支持片２Ｂが水平突起部Ｐ１端部に圧着され、連結杆体１の位置が固定される。
【００２５】
図示の固定板体３は、挿通孔３Ａと係止片３Ｂとを備えている（図４参照）。挿通孔３Ａは、連結杆体１の開放端部を挿通するもので、この開放端部に固定ナット１Ａをねじ止めして固定板体３に連結する（図２参照）。また、係止片３Ｂは、造営材Ｐの垂直面Ｐ２に固定板体３を当接した状態で、この垂直面Ｐ２の上端に係止するように屈曲形成されたものである。図示例の固定板体３は、造営材ＰとしてＬ形鋼を利用したときに好適であるが、この固定板体３の形状を変えてＨ形鋼の水平突起部Ｐ１に係止するように構成することも可能である（図示せず）。
【００２６】
図５乃至図７に示す支持体２は、羽根１４上の水平突起部Ｐ１に上から重ねる重合片２Ｄを設けたものである（図５参照）。そして、この重合片２Ｄの一端部から下方に向けて左右一対の支持片２Ｂが屈曲延長されている。この支持片２Ｂは、図２の実施例と同様に、水平突起部Ｐ１の端部に当接せしめると共に連結杆体１を貫通せしめる貫通孔２Ｃが形成されたものである。更に、重合片２Ｄの他端部から上方に向けて左右一対の嵌合片２Ｅが屈曲延長されている（図７参照）。この嵌合片２Ｅは、圧着部１２の左右側面に嵌合するように形成されたものである（図６参照）。そして、重合片２Ｄを水平突起部Ｐ１上に重合すると、支持片２Ｂを貫通する連結杆体１が羽根１４の下面に固定されるように設けたものである。
【産業上の利用可能性】
【００２７】
本発明補強金具では、主に、造営材Ｐの水平突起部Ｐ１に固定する吊り金具１０に装着するものとして説明しているが、吊り金具１０を固定可能な位置であればどのような場所でも良く、本発明の利用場所はこの例に限られるものではない。また、本発明の連結杆体１、支持体２、固定板体３等の構成は図示例に限定されるものではなく、本発明の要旨を変更しない範囲での設計変更は自由である。
【符号の説明】
【００２８】
Ｐ  造営材
Ｐ１  水平突起部
Ｑ  吊りボルト
１  連結杆体
１Ａ  固定ナット
２  支持体
２Ａ  重合部
２Ｂ  支持片
２Ｃ  貫通孔
２Ｄ  重合片
２Ｅ  嵌合片
３  固定板体
３Ａ  挿通孔
３Ｂ  係止片
１０  吊り金具
１１  支持部
１２  圧着部
１３  連結部
１４  羽根
１５  締付ボルト
１６  下部金具
【図１】
0005288316.tif 000002
【図２】
0005288316.tif 000003
【図３】
0005288316.tif 000004
【図４】
0005288316.tif 000005
【図５】
0005288316.tif 000006
【図６】
0005288316.tif 000007
【図７】
0005288316.tif 000008